(57)【特許請求の範囲】
【請求項１】
酸性の性質を有する多孔質の凝灰岩を破砕して形成した骨材にセメントペーストを付着せしめ、これを、連続した空隙を有する多孔質状に硬化させてなり、且つ前記セメントのアルカリ性が前記酸性の多孔質の骨材によって中和され、全体が弱アルカリ性を呈することを特徴とする凝灰岩を骨材とするポーラスブロック。
【請求項２】
護岸ブロックとして用いられる請求項１記載の凝灰岩を骨材とするポーラスブロック。
【請求項３】
法面保護ブロックとして用いられる請求項１記載の凝灰岩を骨材とするポーラスブロック。
【請求項４】
防音ブロックとして用いられる請求項１記載の凝灰岩を骨材とするポーラスブロック。
【請求項５】
魚巣ブロックとして用いられる請求項１記載の凝灰岩を骨材とするポーラスブロック。
【発明の詳細な説明】
【０００１】
【発明の属する技術分野】
本発明は、酸性の性質を有する多孔質の凝灰岩を破砕して形成した骨材を用いる、全体が弱アルカリ性を呈するポーラスブロックに関するものである。
【０００２】
【従来の技術及び発明が解決しようとする課題】
従来のポーラスコンクリート製ブロックは、骨材にセメントぺーストを付着せしめ、これを、連続した空隙を有する多孔質状に硬化させてなるものであったが、セメントがアルカリ性を有するために、これを緑化用途や漁礁用途等に応用した場合、次のような問題点があり、その解決が望まれていた。
【０００３】
（１）  前記ポーラスコンクリート製ブロックを護岸や法面保護の目的で敷設し、護岸や法面保護を図りながら、ブロック表面に植物を成育させて岸辺や法面の緑化を図らんとする試みが行われている。
ポーラスコンクリート製ブロックは一般のコンクリートブロックとは異なり、連続した空隙を有する多孔質状のものであるために、その吸水性と保水性、透水性によって植物の生育が良好であるかのように見える。しかし実際は、セメントのアルカリ性が強いために植物の生育が悪く、護岸部分や法面部分等の緑化を良好に達成し難い問題があった。
【０００４】
（２）  又前記ポーラスコンクリート製ブロックを水中で使用した場合も、セメントのアルカリ性が強いために、藻や微生物の繁殖が良好でなく、従って、これらを栄養源とする原生動物や昆虫等の各種の水性動物の繁殖もそれほど期待できず、水域の環境保全の面で不十分であった。
【０００５】
（３）  又前記ポーラスコンクリート製ブロックを、その多孔質の性質に着眼して漁礁用途に用いたとしても、セメントのアルカリ性が強いために海藻類の種子や胞子の着床率が良好とは言えず、改良の余地があった。
【０００６】
本発明は、かかる問題点を解決し得る、凝灰岩を骨材とするポーラスブロック及び該ポーラスブロックを用いた構造物の提供を目的とするものである。
【０００７】
【課題を解決するための手段】
前記課題を解決するため本発明は以下の手段を採用する。
即ち本発明に係る凝灰岩を骨材とするポーラスブロックは、酸性の性質を有する多孔質の凝灰岩を破砕して形成した骨材にセメントペーストを付着せしめ、これを、連続した空隙を有する多孔質状に硬化させてなり、且つ前記セメントのアルカリ性が前記酸性の多孔質の骨材によって中和され、全体が弱アルカリ性を呈することを特徴とするものである。
前記ポーラスブロックは、護岸ブロック、法面保護ブロック、防音ブロック、魚巣ブロック等として用いることができる。
【０００８】
【発明の実施の形態】
以下、本発明の実施の形態を図面に基づいて説明する。
図１において、本発明に係る凝灰岩を骨材とするポーラスブロック（以下ポーラスブロックという）１は、酸性の性質を有する凝灰岩を破砕して形成した骨材２にセメントぺーストを付着せしめ、これを常法により、連続した空隙を有する多孔質状に硬化させてなるものである。
【０００９】
かかる構成を有するポーラスブロックをより具体的に説明すれば、凝灰岩の骨材が多孔質のものであり且つ酸性の性質を有していて、セメントのアルカリ性が該酸性の骨材によって中和され、ポーラスブロック全体として弱アルカリ性を呈している。又、ポーラスブロックの一般的な多孔質構造に加えて、骨材（凝灰岩）そのものが多孔質組織であるために、ポーラスブロック全体として、非常に優れた保水性及び吸水性を有している。
【００１０】
このような優れた特性を有する本発明に係るポーラスブロックは、次のような各種の用途に用いて好適である。図２は、前記ポーラスブロックを、護岸ブロック１ａ及び法面保護ブロック１ｂの用途に用いた場合を示すものであり、護岸部３の下端部分には魚巣４が設けられている。前記護岸ブロック１ａ及び法面保護ブロック１ｂは共に、比較的厚肉の例えば正方形板状に形成されている。又前記魚巣４は、図２〜３に示すように、河川内方に向けて開放するコ字状ブロック５を具え、その凹所６内の底面７に、前記と同様構成の板状のポーラスブロック１ｃが載置されている。
【００１１】
前記のようにポーラスブロックは、その多孔質構造に起因して良好な保水性が確保されると共に、凝灰岩の前記中和作用によるセメントの弱アルカリ化により、植物の生育に適した環境が確保される。従ってブロック表面に種子を播くことにより、図４に示すように、ブロック表面で植物１０を成育させることができる。例えば、図２において植物１０の繁茂状態を一点鎖線で示すように、護岸部分や法面保護部分の緑化を図ることができる。
【００１２】
又前記護岸用ブロックの内、水中に存するもの１ａ１及び前記コ字状ブロック５にあっては、ポーラスブロックの前記弱アルカリ性によって、藻や微生物の繁殖を促すことができる。従って、微生物による水質浄化を図り得るだけでなく、これらを栄養源として原生動物や昆虫等の各種の水性動物を生息せしめ、これを求めて魚類が集まり又野鳥が飛来するという、自然界の河川の状態に近似した水域環境を形成できることとなる。
【００１３】
又、前記コ字状ブロックの凹所底面７に板状ポーラスブロック１ｃが載置されるため（図２）、この板状ポーラスブロック１ｃの形状や配置によって、該凹所６部分に、自然界の河川におけるようなさまざまな流れ状態（急流や緩流、還流、淀み等）を容易に形成できる。加えて、弱アルカリ性を有する前記板状ポーラスブロック１ｃの空隙に泥や有機物を入り込ませて、ブロック表面や空隙における藻や微生物の繁殖を促すことができると共に、前記凹所の底面部に泥や有機物を堆積せしめてその土中での微生物や藻の繁殖も促すことができる。
【００１４】
図５〜６は、本発明に係るポーラスブロック１を例えばＵ字溝１ｄとして構成した場合を示すものであり、その水路内面１１に、突部１２が一体に突設されている。そして該突部１２の、水路水の流れ方向（図５〜６に一点鎖線の矢印で示す）前側の面がその流れ方向に対して傾く傾斜面１３に形成されると共に、水路水の流れ方向後側の面が段差面１５に形成されている。
【００１５】
かかる構成の水路ブロックは、凝灰岩の中和作用によって弱アルカリ性を呈するために、前記と同様にして、水路内面側に植物を生育させ得ると共に、前記突部の、水路水の流れ方向後側に淀み状態を形成できることとなり、この部分に、原生動物や昆虫等の各種の水性動物の住処を提供できることとなる。
【００１６】
なお前記段差面１５を、図５〜６に示すように、前側に向けて凹む湾曲面に形成することにより、水路水の流れ方向後側に形成される淀みを、多少渦巻いた状態となし得、淀み状態に変化をつけられ、それだけ自然界の流れ状態に近づけ得ることとなる。又前記突部１３は、Ｕ字溝の内側面１１ａと底面１１ｂに亘って連続して形成することの他、途切れ状態に形成してもよい。
【００１７】
図７は、本発明に係るポーラスブロック１をコンクリート製の漁礁本体１６に付設した漁礁構造物１７を示すものである。前記漁礁本体１６は、例えば、棒状のコンクリート枠材１９を矩形枠状に組み合わせたものを積重した構成を有しており、前記枠材１９は、例えば下端開放の溝部２０を有している。又前記ポーラスブロックは、図７〜８に示すように、前記枠材１９，１９間に介在される平板状をなし、該枠材１９，１９と平板状ポーラスブロック１ｅの全体はボルト２１とナット２２で一体化されている。
【００１８】
かかる構成を有する漁礁構造物１７によるときは、漁礁本体１６による漁礁機能に加え、凝灰岩を骨材とするポーラスブロックによる次のような漁礁機能が付加される。即ち、凝灰岩の組織が多孔質であり、その吸水性能及び保水性能が優れていることに加え、凝灰岩の前記中和作用によるポーラスブロックの弱アルカリ化により、ブロックの凹凸表面に対する海藻類の種子や胞子の着床が良好であり、その繁茂が促進される。又魚介類の卵の着床も良好である。
【００１９】
図９は、本発明に係るポーラスブロックを道路の防音用途に応用した場合を示すものであり、例えば矩形板状をなす。該防音性ポーラスブロック１ｆが構成する防音構造物１９は、所要間隔をおいて立設した支柱２０，２０間を覆うように配設した防音性ポーラスブロック１ｆの両端部分２１，２１を、隣り合う支柱２０，２０の溝部２２，２２に嵌合させてなる。
【００２０】
前記防音性ポーラスブロック１ｆは、図１０に示すようなポーラスブロックとしての多孔質構造に加え、凝灰岩からなる骨材そのものが多孔質であるため、優れた遮音性を有し、又反射音や共鳴音も抑制する等、良好な騒音防止効果を発揮する。
【００２１】
更に該防音性ポーラスブロック１ｆは、優れた吸水性と保水性を有すると共に凝灰岩の中和作用によって弱アルカリ性を呈するため、ブロック表面における蔓草等の植物の生育が促進され、ブロック面の緑化が進む。このような緑化により防音構造物の景観が向上すると共に、植物の繁茂により防音効果も倍加されることになる。
【００２２】
【発明の効果】
本発明は以下の如き優れた効果を奏する。
（１）  本発明に係るポーラスブロックは、ポーラス構造物としての多孔質構造に加え骨材そのものが多孔質であるため、その吸水性や保水性が良好であると共に、酸性の性質を有する多孔質の凝灰岩の、セメントのアルカリ度の中和作用によって、ブロック全体が弱アルカリ性を呈する。
【００２３】
このようなことから、セメントの強いアルカリ性が障害となることなく、しかもブロック全体としての良好な保水性により、ブロック面における植物や藻、海藻類の繁殖が促進されることになる。かかることから、本発明のポーラスブロックを、護岸用途や法面保護用途に用いることにより、護岸や法面保護を図りながらブロック面の緑化も図り得ることとなる。
【００２４】
特にこれらのブロックを水中に設置するときは、ブロックの表面やその内部における藻や微生物の繁殖を促すことができる。従って、微生物による水質浄化を図り得るだけでなく、藻や微生物を栄養源として原生動物や昆虫等の各種の水性動物を生息せしめ、これを求めて多種の魚類が集まり又野鳥が飛来するという自然界の河川の状態に近似した水域環境を形成できることになる。
【００２５】
（２）  本発明に係るポーラスブロックを漁礁構造物の構成に用いるときは、該ポーラスブロックの多孔質状態や弱アルカリ性によって、ポーラスブロックへの海藻類の種子や胞子の着床が良好となり海藻の繁茂を促し得る。加えて、ブロック面への魚介類の卵の着床も良好となし得る。このようなことから本発明に係る漁礁構造物は、優れた漁礁機能を発揮することとなる。
【００２６】
ところで従来の漁礁は、廃船やコンクリート構造物を海中に沈めて構成するのが主流であったが、最近では、海藻類の種子や胞子の着床率及び魚介類の卵の着床率を向上させる目的で、コンクリート漁礁の表面に化学繊維や合成樹脂等を組み付けて漁礁表面に凹凸を形成することも行われている。しかしながら、このような化学繊維等の付設によって漁礁に凹凸を形成する場合は、それらが漁礁本体から分離したとき、これが海中を漂い海の汚染物となる問題があった。
【００２７】
これに対して、ポーラスブロックを漁礁本体に付設した本発明の漁礁構造物によるときは、ポーラスブロックの多孔質と弱アルカリ性によって、前記のように、ポーラスブロック表面への海藻類の種子や胞子及び魚介類の卵の着床が良好となるのであり、従って、従来のような化学繊維等の付設が必要でない。又ポーラスブロックが部分的に破壊したとしても、骨材が凝灰岩であるために、汚染物となることもない。
【００２８】
（３）  本発明に係るポーラスブロックを防音用ブロックとして応用したときは、骨材そのものも多孔質であるポーラスブロック全体としての多孔質構造によって、優れた騒音防止効果が発揮される。
【００２９】
又、ポーラスブロックの優れた吸水性、保水性及びその弱アルカリ性によって、防音構造物表面における緑化を達成できることになる。このような緑化により、景観向上と合わせて、繁茂した植物による遮音効果が付加されることになり、防音構造物全体としての防音性能向上が達成されることになる。
【００３０】
ところで従来における道路の騒音対策としては、コンクリート板や金属板等を道路（高速道路等）の側部に配置して遮音構造物を構成することが行われていたが、コンクリート板を用いた遮音構造物にあっては、遮音効果を略確保できるものの、道路内における反響音が大きくドライバーにストレスを与える原因となっていた。一方、鉄板を用いた遮音構造物にあっては、コンクリート製の遮音構造物におけるような反響音は少ないが、共鳴音が発生して二次的騒音問題を生じさせていた。又鉄板表面に防水処理を行ってはいても、時間が経過するにつれて徐々に腐食し、防音構造物の強度低下や防音性能が低下する問題もあった。
【００３１】
これに対して、本発明に係るポーラスブロックを用いた防音構造物によるときは、前記のように優れた防音を図り得ると共に、強度的安定性にも優れる防音構造を構築できることとなる。
【図面の簡単な説明】
【図１】ポーラスブロックを示す斜視図である。
【図２】それを用いて構築された護岸構造と法面保護構造を、魚巣構造と共に示す断面図である。
【図３】魚巣構造を説明する部分斜視図である。
【図４】ポーラスブロックの表面における植物の生育状態を説明する説明図である。
【図５】Ｕ字溝として応用されたポーラスブロックを示す斜視図である。
【図６】その部分斜視図である。
【図７】ポーラスブロックを用いて構成した漁礁構造物を示す斜視図である。
【図８】そのポーラスブロックの一部分を示す斜視図である。
【図９】ポーラスブロックを用いて構成した防音構造物を示す斜視図である。
【図１０】そのブロック接合部分を拡大して示す斜視図である。
【符号の説明】
１  ポーラスブロック
１２  突部
１３  傾斜面
１５  段差面
１６  漁礁本体
１９  枠材
２０  支柱
【図１】
0003566501.tif 000002
【図２】
0003566501.tif 000003
【図３】
0003566501.tif 000004
【図４】
0003566501.tif 000005
【図５】
0003566501.tif 000006
【図６】
0003566501.tif 000007
【図７】
0003566501.tif 000008
【図８】
0003566501.tif 000009
【図９】
0003566501.tif 000010
【図１０】
0003566501.tif 000011